(57)【要約】【課題】色域が広く、演色性がよく、明るい照明光を出射することができる照明装置を提供することを課題とする。【解決手段】照明装置は、第１の波長帯域を有する第１の有彩色光を出射する第１の発光素子を複数個並べた第１の素子列と、第２の波長帯域を有する第２の有彩色光を出射する第２の発光素子を複数個並べた第２の素子列と、第３の波長帯域を有する第３の有彩色光を出射する第３の発光素子を複数個並べた第３の素子列と、第４の波長帯域を有する第４の有彩色光を出射する第４の発光素子を複数個並べた第４の素子列と、第５の波長帯域を有する第５の有彩色光を出射する第５の発光素子を複数個並べた第５の素子列と、第６の波長帯域を有する第６の有彩色光を出射する第６の発光素子を複数個並べた第６の素子列と、を有する。【選択図】      図６
2019169449.tif 000002
【特許請求の範囲】
【請求項１】
第１の波長帯域を有する第１の有彩色光を出射する第１の発光素子を第１の方向に複数個並べた第１の素子列と；
前記第１の有彩色光のピーク波長より短いピーク波長を含む第２の波長帯域を有する第２の有彩色光を出射する第２の発光素子を前記第１の方向に複数個並べて前記第１の素子列に対し前記第１の方向と交差する第２の方向に隣接した第２の素子列と；
前記第２の有彩色光のピーク波長より短いピーク波長を含む第３の波長帯域を有する第３の有彩色光を出射する第３の発光素子を前記第１の方向に複数個並べて前記第２の素子列に対し前記第１の素子列の反対側に隣接した第３の素子列と；
前記第３の有彩色光のピーク波長より短いピーク波長を含む第４の波長帯域を有する第４の有彩色光を出射する第４の発光素子を前記第１の方向に複数個並べて前記第３の素子列に対し前記第２の素子列の反対側に隣接した第４の素子列と；
前記第４の有彩色光のピーク波長より短いピーク波長を含む第５の波長帯域を有する第５の有彩色光を出射する第５の発光素子を前記第１の方向に複数個並べて前記第４の素子列に対し前記第３の素子列の反対側に隣接した第５の素子列と；
前記第５の有彩色光のピーク波長より短いピーク波長を含む第６の波長帯域を有する第６の有彩色光を出射する第６の発光素子を前記第１の方向に複数個並べて前記第５の素子列に対し前記第４の素子列の反対側に隣接した第６の素子列と；
を有する照明装置。
【請求項２】
前記第１の波長帯域と前記第２の波長帯域が一部重なり、前記第２の波長帯域と前記第３の波長帯域が一部重なり、前記第３の波長帯域と前記第４の波長帯域が一部重なり、前記第４の波長帯域と前記第５の波長帯域が一部重なり、前記第５の波長帯域と前記第６の波長帯域が一部重なる、
請求項１の照明装置。
【請求項３】
前記第２の方向に隣接する２つの素子列の発光素子は千鳥状に配置されている、
請求項１または請求項２の照明装置。
【請求項４】
原色の同じ色の光を出射する複数の発光素子を第１の方向に並べた素子列を、異なる原色の光を出射する発光素子の素子列同士が前記第１の方向と交差する第２の方向に隣接するように複数配列し、且つ、隣接する前記素子列の複数の発光素子を千鳥状に配置した照明装置。
【請求項５】
前記隣接する素子列の発光素子が出射する光の波長帯域は一部重なる、
請求項４の照明装置。
【請求項６】
原色の同じ色の光を出射する複数の発光素子を第１の方向に並べた素子列を、異なる原色の光を出射する発光素子の素子列同士が前記第１の方向と交差する第２の方向に隣接するように複数配列し、且つ、前記隣接する素子列の発光素子が出射する光の波長帯域が一部重なる照明装置。
【請求項７】
前記第２の方向に隣接した前記複数の素子列のうち、前記第２の方向に沿った外側の素子列の発光素子が出射する光の波長帯域は、前記第２の方向に沿った内側の素子列の発光素子が出射する光の波長帯域より狭い、
請求項４乃至請求項６のうち１項の照明装置。
【発明の詳細な説明】
【技術分野】
【０００１】
本発明の実施形態は、例えばスタジオ照明や舞台照明に用いるフラッドライトなどの照明装置に関する。
【背景技術】
【０００２】
従来、テレビスタジオや舞台用の照明装置として、複数の発光モジュールを平らな面に沿って配置したフラッドライトが知られている。
【先行技術文献】
【特許文献】
【０００３】
【特許文献１】特開２０１５−１５１０６号公報
【発明の概要】
【発明が解決しようとする課題】
【０００４】
近年、色域が広く演色性のよい照明装置が、テレビスタジオや舞台用の照明装置として求められている。また、各種演出のため、白色光以外の有彩色光による照明が可能な照明装置が、テレビスタジオや舞台用の照明装置として求められている。
【０００５】
しかし、ＬＥＤ（light emitting diode）などの複数の発光素子を面状に配列したフラッドライトにおいて、演色性がよく色域の広い白色光や有彩色光による質の高い照明を実現することは難しい。つまり、この場合、原色の異なる色の光を出射する複数種類の発光素子を用意して、面内で効果的にレイアウトする必要があり、所望する特性（色域、演色性、明るさなど）を満足する照明光を得ることは難しい。
【０００６】
よって、色域が広く、演色性がよく、明るい照明光を出射することができる照明装置の開発が望まれている。
【課題を解決するための手段】
【０００７】
実施形態に係る照明装置は、第１の波長帯域を有する第１の有彩色光を出射する第１の発光素子を第１の方向に複数個並べた第１の素子列と、第１の有彩色光のピーク波長より短いピーク波長を含む第２の波長帯域を有する第２の有彩色光を出射する第２の発光素子を第１の方向に複数個並べて第１の素子列に対し第１の方向と交差する第２の方向に隣接した第２の素子列と、第２の有彩色光のピーク波長より短いピーク波長を含む第３の波長帯域を有する第３の有彩色光を出射する第３の発光素子を第１の方向に複数個並べて第２の素子列に対し第１の素子列の反対側に隣接した第３の素子列と、第３の有彩色光のピーク波長より短いピーク波長を含む第４の波長帯域を有する第４の有彩色光を出射する第４の発光素子を第１の方向に複数個並べて第３の素子列に対し第２の素子列の反対側に隣接した第４の素子列と、第４の有彩色光のピーク波長より短いピーク波長を含む第５の波長帯域を有する第５の有彩色光を出射する第５の発光素子を第１の方向に複数個並べて第４の素子列に対し第３の素子列の反対側に隣接した第５の素子列と、第５の有彩色光のピーク波長より短いピーク波長を含む第６の波長帯域を有する第６の有彩色光を出射する第６の発光素子を第１の方向に複数個並べて第５の素子列に対し第４の素子列の反対側に隣接した第６の素子列と、を有する。
【０００８】
上記実施形態によると、第１の波長帯域と第２の波長帯域が一部重なり、第２の波長帯域と第３の波長帯域が一部重なり、第３の波長帯域と第４の波長帯域が一部重なり、第４の波長帯域と第５の波長帯域が一部重なり、第５の波長帯域と第６の波長帯域が一部重なる。
【０００９】
また、上記実施形態によると、第２の方向に隣接する２つの素子列の発光素子は千鳥状に配置されている。
【００１０】
他の実施形態に係る照明装置は、原色の同じ色の光を出射する複数の発光素子を第１の方向に並べた素子列を、異なる原色の光を出射する発光素子の素子列同士が第１の方向と交差する第２の方向に隣接するように複数配列し、且つ、隣接する素子列の複数の発光素子を千鳥状に配置している。
【００１１】
上記実施形態によると、隣接する素子列の発光素子が出射する光の波長帯域は一部重なる。
【００１２】
さらに他の実施形態に係る照明装置は、原色の同じ色の光を出射する複数の発光素子を第１の方向に並べた素子列を、異なる原色の光を出射する発光素子の素子列同士が第１の方向と交差する第２の方向に隣接するように複数配列し、且つ、隣接する素子列の発光素子が出射する光の波長帯域が一部重なる。
【００１３】
上記実施形態によると、第２の方向に隣接した複数の素子列のうち、第２の方向に沿った外側の素子列の発光素子が出射する光の波長帯域は、第２の方向に沿った内側の素子列の発光素子が出射する光の波長帯域より狭い。
【発明の効果】
【００１４】
実施形態によると、６色の光（第１〜第６の有彩色光）をそれぞれ出射する発光素子の同色の列を波長帯域順に並べて配置したため、照明光の色域を広くすることができ、演色性を良くすることができ、その上、比較的明るい照明光を提供することができる。
【００１５】
また、上記実施形態によると、隣接する素子列の発光素子が出射する光の波長帯域が一部重なるため、照明光全体として波長帯域の抜けが無く、照明光の色域を広くすることができ、演色性を良くすることができる。
【００１６】
また、上記実施形態によると、複数の発光素子を千鳥状に配置したため、隣接する素子列同士で各発光素子が出射する光を補い合うことができ、混色を良くすることができる。
【００１７】
他の実施形態によると、それぞれ異なる色の光を出射する発光素子を含む複数の素子列を隣接配置し、且つ複数の発光素子を千鳥状に配置したため、隣接する素子列同士で各発光素子が出射する光を補い合うことができ、混色を良くすることができる。
【００１８】
また、上記実施形態によると、隣接する素子列の発光素子が出射する光の波長帯域が一部重なるため、照明光全体として波長帯域の抜けが無く、演色性を良くすることができる。
【００１９】
さらに他の実施形態によると、それぞれ異なる色の光を出射する発光素子を含む複数の素子列を隣接配置し、且つ隣接する素子列の発光素子が出射する光の波長帯域が一部重なるため、照明光全体として波長帯域の抜けが無く、演色性を良くすることができる。
【００２０】
また、上記実施形態によると、外側の素子列の発光素子が出射する光の波長帯域が内側の素子列の発光素子が出射する光の波長帯域より狭いため、照明光全体として波長帯域の抜けを補い易く、演色性を良くすることができる。
【図面の簡単な説明】
【００２１】
【図１】図１は、実施形態に係る照明装置の外観斜視図である。
【図２】図２は、図１の照明装置の正面図である。
【図３】図３は、図１の照明装置の側面図である。
【図４】図４は、図３の照明装置の角度を変えた状態を示す側面図である。
【図５】図５は、図１の照明装置を含む照明システムの制御ブロック図である。
【図６】図６は、図１の照明装置に組み込まれた光源基板の光源のレイアウトを示す平面図である。
【図７】図７は、図６の光源基板の各光源から発光する有彩色光の強度分布の一例を示すグラフである。
【発明を実施するための形態】
【００２２】
以下、図面を参照しながら実施形態について詳細に説明する。以下の説明では、照明装置１００を図示しない照明バトンなどに取り付けた使用状態で、照明光が出射される方向を前方と称し、その反対を後方と称する。また、照明装置１００を前方から見て上下方向および左右方向を規定する。各図において、左右方向をＸ軸で示し、上下方向をＹ軸で示し、前後方向をＺ軸で示す。
【００２３】
図１に示すように、実施形態に係る照明装置１００は、略矩形箱状の筐体１０１を有する。筐体１０１は、左右方向の寸法が上下方向の寸法より大きい。筐体１０１は、薄い金属板により形成されている。筐体１０１の表面は、黒色に塗装されている。筐体１０１の前面には、矩形の開口部１０２が設けられている。筐体１０１は、その前方に、ＸＹ平面と平行に配置された矩形枠状の前面板１０１ａを有する。開口部１０２は、前面板１０１ａの内周縁により規定されている。筐体１０１は、放熱のための複数のスリット状の通風孔１０１１を有する。
【００２４】
図１では、開口部１０２を覆う透光板１１０（図２）を筐体１０１から取り外した状態を図示してある。開口部１０２の縁には、断面略Ｌ字状の４枚の反射板１０３が取り付けられている。反射板１０３は、開口部１０２の４つの辺それぞれに設けられている。各反射板１０３は、一枚の金属板により形成されている。反射板１０３の表面は、白色に塗装されている。反射板１０３は、固定板部１０３ａと傾斜板部１０３ｂを一体に有する。固定板部１０３ａと傾斜板部１０３ｂは、反射板１０３を長手方向に沿った線で鈍角に折り曲げることにより形成される。
【００２５】
各反射板１０３は、複数本のネジ１０４を用いて、筐体１０１の前面板１０１ａに固定される。つまり、複数本のネジ１０４により固定板部１０３ａを前面板１０１ａに締結固定することにより、反射板１０３が筐体１０１に固定される。反射板１０３は、傾斜板部１０３ｂが開口部１０２の縁から筐体１０１内に向けて内側に傾斜する向きで筐体１０１に取り付けられる。すなわち、反射板１０３の傾斜板部１０３ｂは、開口部１０２の縁から後方に向けて内側に傾斜している。
【００２６】
図２に示すように、透光板１１０は、筐体１０１の開口部１０２を覆う位置に配置される。つまり、透光板１１０は、各反射板１０３の傾斜板部１０３ｂを間に挟んで、前面板１０１ａの前方に重ねて配置される。透光板１１０の外周縁に沿って透光板１１０の前方には、矩形のカバー枠１１１が設けられている。カバー枠１１１は、開口部１０２の外側に配置される。つまり、透光板１１０の外周縁は、筐体１０１の前面板１０１ａ（反射板１０３の固定板部１０３ａ）とカバー枠１１１によって挟まれる。
【００２７】
カバー枠１１１の内周縁には、透光板１１０に向けてわずかに傾斜した４つの傾斜片１１１ａが一体に設けられている。各傾斜片１１１ａの傾斜方向の先端縁は透光板１１０の表面に接触する。カバー枠１１１は、その四つの角部において、４本のネジ１１２を用いて筐体１０１の前面板１０１ａに締結固定されている。カバー枠１１１を前面板１０１ａに固定することで、透光板１１０が筐体１０１に取り付けられる。
【００２８】
透光板１１０は、例えば、白色の透明な熱に強い樹脂製の板により形成されている。透光板１１０は、後述する光源基板１０に実装した複数の発光素子１ａ〜１ｈ（図６参照）から出射される光を透過させる。発光素子１ａ〜１ｈから出射された光は、反射板１０３の傾斜板部１０３ｂで反射されて、或いは直接、透光板１１０に入射する。透光板１１０は、透過する光を拡散させる。つまり、透光板１１０は、複数の発光素子１ａ〜１ｈから出射される有彩色光を良好に混色し、照明装置１００から出射される照明光にムラを生じることを抑制し、均一で良質な照明光を提供する。
【００２９】
図３および図４に示すように、照明装置１００は、２つのハンドル１２１、１２２、および吊下げアーム１２４を備えている。一方のハンドル１２１は、筐体１０１の上方に固設されている。もう一方のハンドル１２２は、筐体１０１の下方に固設されている。各ハンドル１２１、１２２は、左右方向に延設された把持バー１２１ａ、１２２ａを有する。作業者は、照明装置１００を持ち運ぶ際に、２つのハンドル１２１、１２２の把持バー１２１ａ、１２２ａを両手でつかんで照明装置１００を持ち上げる。また、作業者は、照明バトンに取り付けた照明装置１００の角度を変える際に下方のハンドル１２２を掴んで首振り操作をする。
【００３０】
吊下げアーム１２４は、Ｕ字状に折り曲げられたパイプ１２５、図示しない照明バトンなどに照明装置１００を取り付けるための取付ロッド１２６、取付ロッド１２６をパイプ１２５の中央に固定するための固定具１２７、および吊下げアーム１２４（パイプ１２５）に対する照明装置１００の回動を規制および規制解除するためのロック機構１２８を有する。
【００３１】
取付ロッド１２６は、上下方向に延設され、Ｚ軸と平行な軸を中心に固定具１２７を左右方向に回動可能に支持する。つまり、照明装置１００は、照明バトンに取り付けた状態で、上下方向に沿った取付ロッド１２６を中心に左右方向に回動可能となる。固定具１２７は、取付板片１２７ｃを一体に有する。取付板片１２７ｃは、照明装置１００の脱落を防止するためのワイヤー１２７ａを取り付けるための取付孔１２７ｂを有する。ワイヤー１２７ａは、例えば照明バトンにかけられる。
【００３２】
Ｕ字状のパイプ１２５の左右方向の幅は、筐体１０１（前面板１０１ａ）の左右方向の幅よりわずかに短い。このため、パイプ１２５の両端は、図２に示す方向（前方）から照明装置１００を見た場合に、筐体１０１の一部に隠れて見えない。一方、筐体１０１は、左右の側壁１０１ｂの間の幅が、後方に向けて段々に狭くなっている。つまり、側壁１０１ｂは、前面板１０１ａの縁から後方に向けて内側に傾斜した傾斜板部１０１ｂ−１、および傾斜板部１０１ｂ−１の後方の端縁に連続した取付板部１０１ｂ−２を有する。取付板部１０１ｂ−２は、ＹＺ平面と略平行に配置されている。
【００３３】
左右の取付板部１０１ｂ−２には、回動ピン１２５ａを介してパイプ１２５の両端が回動可能にそれぞれ取り付けられている。パイプ１２５の端部は、偏平な板状に潰されている。パイプ１２５の両端の板状部分１２５１は、ＹＺ平面と略平行に配置される。回動ピン１２５ａは、パイプ１２５の両端にある板状部分１２５１の孔（図示せず）に挿通されて取付板部１０１ｂ−２に固定される。このため、照明装置１００の筐体１０１は、パイプ１２５（吊下げアーム１２４）に対して、例えば、図３および図４に示す姿勢に上下方向に回動可能となっている。
【００３４】
また、筐体１０１の側壁１０１ｂの取付板部１０１ｂ−２には、ロック機構１２８の円板状の摩擦ディスク１２８ａが固設されている。摩擦ディスク１２８ａは、回動ピン１２５ａと同軸且つＹＺ平面と略平行に取り付けられている。ロック機構１２８は、摩擦ディスク１２８ａの表面に押し付ける図示しない摺接パッドを有する。また、ロック機構１２８は、摺接パッドを摩擦ディスク１２８ａの表面に離接させて押圧接触させるための操作レバー１２８ｂを有する。摺接パッドと操作レバー１２８ｂは、パイプ１２５の板状部分１２５１に取り付けられている。
【００３５】
つまり、操作レバー１２８ｂを操作して、筐体１０１に固定した摩擦ディスク１２８ａにロック機構１２８の摺接パッドを押し付けることにより、摩擦ディスク１２８ａとパイプ１２５の板状部分１２５１を回動不能に固定することができる。これにより、照明装置１００の上下方向の傾倒角度を固定することができる。
【００３６】
すなわち、照明装置１００の上下方向の向きを変える場合、作業者は、下方のハンドル１２２の把持バー１２２ａを片手でつかんでもう一方の手で操作レバー１２８ｂを回動操作する。このとき、作業者は、まず、操作レバー１２８ｂを操作してロック機構１２８によるロック状態（摩擦ディスク１２８ａに摺接パッドを押し付けた状態）を解除し、ハンドル１２２を操作して照明装置１００を所望する角度に配置する。この後、作業者は、操作レバー１２８ｂを操作してロック機構１２８をロック状態にする。
【００３７】
図５は、上述した照明装置１００を含む照明システム３００を示す制御ブロック図である。照明システム３００は、上述した照明装置１００を複数台接続した制御装置２００を有する。１台の制御装置２００に必ずしも複数台の照明装置１００を接続する必要はなく、１台の照明装置１００を制御装置２００に接続した照明システム３００であってもよい。なお、少なくとも１台の照明装置１００は、有線により制御装置２００に接続されてもよく、無線により制御装置２００に接続されてもよい。
【００３８】
照明装置１００の制御部１５０には、制御装置２００の通信部２０１との間で各種の制御信号を送受信するための通信部１５１が接続されている。また、制御部１５０には、後述する光源基板１０に実装した複数の発光素子１ａ〜１ｈに給電する電源装置１５２が接続されている。
【００３９】
制御装置２００の制御部２１０には、オペレータによる各種操作入力を受け付ける操作入力部２０２、オペレータに対する各種情報を表示する表示部２０４、および記憶部２０６が接続されている。
【００４０】
制御装置２００の制御部２１０は、操作入力部２０２を介してオペレータにより入力されたコマンドに応じて、照明装置１００から出射する光の強さや色彩などを制御する。この際、照明装置１００の制御部１５０は、制御装置２００からの制御に従って、電源装置１５２を制御して、各発光素子１ａ〜１ｈに給電する電流を個別に制御し、照明装置１００から出射する光の照度や色彩を変化させる。
【００４１】
以下、主に図６を参照して、光源基板１０に実装した発光素子１ａ〜１ｈ（総称して発光素子１とする場合もある）のレイアウトについて説明する。  
照明装置１００の筐体１０１内には、図示しないシャーシが配置されている。シャーシの前方には、３枚の矩形板状の光源基板１０が取り付けられている。図１に示すように、３枚の光源基板１０は、シャーシに対して複数本のネジ１１により締結固定されている。３枚の光源基板１０は、同じ構造を有する。３枚の光源基板１０は、それぞれ、筐体１０１の開口部１０２を介して前方に露出する表面１０ａを有する。
【００４２】
上述したように、筐体１０１の開口部１０２は、左右に長い矩形状に形成されている。３枚の光源基板１０は、その長手方向を上下に向けて左右に並べて取り付けられている。また、３枚の光源基板１０は、ＸＹ平面と平行にされて同じ面に沿って配置されており、隣接する光源基板１０の間にはわずかな隙間（図１参照）が設けられている。
【００４３】
図６に示すように、各光源基板１０の表面１０ａには、６種類の有彩色光（赤色、橙色、黄緑色、緑色、青緑色、青色）を発光する発光素子１ａ〜１ｈが規則正しく並べられて実装されている。具体的には、発光色の異なる８個の発光素子１ａ〜１ｈを整列配置した組を１ユニットとして、１０組の発光素子１が光源基板１０の表面１０ａに整列配置されている。１０組の発光素子１は、Ｙ軸方向に５組を一列に並べたものを、Ｘ軸方向に２列に並べて配列されている。
【００４４】
各ユニットの８個の発光素子１ａ〜１ｈは、Ｘ軸方向に４個ならべたものを、Ｙ軸方向に２行に並べて配列されている。なお、各行の発光素子１は、互いにＸ軸方向に半ピッチずらされて千鳥状に配置されている。具体的には、Ｘ軸方向に沿って図示左から右に向かって、発光素子１ａ、発光素子１ｂ、発光素子１ｃ、発光素子１ｄ、発光素子１ｅ、発光素子１ｆ、発光素子１ｇ、発光素子１ｈが、半ピッチずつＸ軸方向にずれて且つＹ軸方向に交互にずれて配置されている。つまり、発光素子１ａ、１ｃ、１ｅ、１ｇが図示下の行に配置され、発光素子１ｂ、１ｄ、１ｆ、１ｈが図示上の行に配置されている。
【００４５】
このため、光源基板１０の全体でみると、図示左側から、５つの発光素子１ａがＹ軸方向（第１の方向）に並んで第１の素子列２ａを構成し、５つの発光素子１ｂがＹ軸方向に並んで第２の素子列２ｂを構成し、５つの発光素子１ｃがＹ軸方向に並んで第３の素子列２ｃを構成し、５つの発光素子１ｄがＹ軸方向に並んで第４の素子列２ｄを構成し、５つの発光素子１ｅがＹ軸方向に並んで第５の素子列２ｅを構成し、５つの発光素子１ｆがＹ軸方向に並んで第６の素子列２ｆを構成している。また、５つの発光素子１ｇがＹ軸方向に並んで素子列２ｇを構成し、５つの発光素子１ｈがＹ軸方向に並んで素子列２ｈを構成している。これら８つの素子列２ａ〜２ｈは、光源基板１０の図示右側にも設けられている。
【００４６】
第２の素子列２ｂは、第１の素子列２ａに対してＸ軸方向（第２の方向）に隣接して配置され、第３の素子列２ｃは、第２の素子列２ｂに対してＸ軸方向に第１の素子列２ａの反対側に隣接して配置され、第４の素子列２ｄは、第３の素子列２ｃに対してＸ軸方向に第２の素子列２ｂの反対側に隣接して配置され、第５の素子列２ｅは、第４の素子列２ｄに対してＸ軸方向に第３の素子列２ｃの反対側に隣接して配置され、第６の素子列２ｆは、第５の素子列２ｅに対してＸ軸方向に第４の素子列２ｄの反対側に隣接して配置されている。素子列２ｇは、第６の素子列２ｆに対してＸ軸方向に第５の素子列２ｅの反対側に隣接して配置され、素子列２ｈは、素子列２ｇに対してＸ軸方向に第６の素子列２ｆの反対側に隣接して配置されている。
【００４７】
第１の素子列２ａの複数の発光素子１ａと第２の素子列２ｂの複数の発光素子１ｂは、千鳥状に配置されている。第２の素子列２ｂの複数の発光素子１ｂと第３の素子列２ｃの複数の発光素子１ｃは、千鳥状に配置されている。第３の素子列２ｃの複数の発光素子１ｃと第４の素子列２ｄの複数の発光素子１ｄは、千鳥状に配置されている。第４の素子列２ｄの複数の発光素子１ｄと第５の素子列２ｅの複数の発光素子１ｅは、千鳥状に配置されている。第５の素子列２ｅの複数の発光素子１ｅと第６の素子列２ｆの複数の発光素子１ｆは、千鳥状に配置されている。第６の素子列２ｆの複数の発光素子１ｆと素子列２ｇの複数の発光素子１ｇは、千鳥状に配置されている。素子列２ｇの複数の発光素子１ｇと素子列２ｈの複数の発光素子１ｈは、千鳥状に配置されている。
【００４８】
第１の素子列２ａの第１の発光素子１ａは、第１の波長帯域を有する第１の有彩色光を出射する。第２の素子列２ｂの第２の発光素子１ｂは、第１の有彩色光のピーク波長より短いピーク波長を含む第２の波長帯域を有する第２の有彩色光を出射する。第３の素子列２ｃの第３の発光素子１ｃは、第２の有彩色光のピーク波長より短いピーク波長を含む第３の波長帯域を有する第３の有彩色光を出射する。第４の素子列２ｄの第４の発光素子１ｄは、第３の有彩色光のピーク波長より短いピーク波長を含む第４の波長帯域を有する第４の有彩色光を出射する。第５の素子列２ｅの第５の発光素子１ｅは、第４の有彩色光のピーク波長より短いピーク波長を含む第５の波長帯域を有する第５の有彩色光を出射する。第６の素子列２ｆの第６の発光素子１ｆは、第５の有彩色光のピーク波長より短いピーク波長を含む第６の波長帯域を有する第６の有彩色光を出射する。素子列２ｇの発光素子１ｇは、第６の有彩色光のピーク波長より短いピーク波長を含む波長帯域を有する有彩色光を出射する。素子列２ｈの発光素子１ｈは、発光素子１ｇが出射する有彩色光のピーク波長より短いピーク波長を含む波長帯域を有する有彩色光を出射する。
【００４９】
本実施形態では、次のような発光素子１ａ〜１ｈを用いた。すなわち、発光素子１ａ（第１の発光素子）には、約５９５〜６６０ｎｍの波長帯域（第１の波長帯域）を有する赤色光（第１の有彩色光）を出射するＬＥＤ（light emitting diode）を用いた。発光素子１ｂ（第２の発光素子）には、約５３０〜６４５ｎｍの波長帯域（第２の波長帯域）を有する橙色光（第２の有彩色光）を出射するＬＥＤを用いた。発光素子１ｃ（第３の発光素子）には、約４９０〜６０５ｎｍの波長帯域（第３の波長帯域）を有する黄緑色光（第３の有彩色光）を出射するＬＥＤを用いた。発光素子１ｄ（第４の発光素子）には、約４７０〜５５０ｎｍの波長帯域（第４の波長帯域）を有する緑色光（第４の有彩色光）を出射するＬＥＤを用いた。発光素子１ｅ（第５の発光素子）には、約４４５〜５１０ｎｍの波長帯域（第５の波長帯域）を有する青緑色光（第５の有彩色光）を出射するＬＥＤを用いた。発光素子１ｆ（第６の発光素子）には、約４１５〜４９０ｎｍの波長帯域（第６の波長帯域）を有する青色光（第６の有彩色光）を出射するＬＥＤを用いた。発光素子１ｇには、発光素子１ｆと異なる色温度の青色光を出射するＬＥＤを用いた。発光素子１ｈには、発光素子１ｇ、１ｆと異なる色温度の青色光を出射するＬＥＤを用いた。
【００５０】
図７は、第１乃至第６の発光素子１ａ〜１ｆがそれぞれ出射する、赤色光、橙色光、黄緑色光、緑色光、青緑色光、青色光の強度分布を示すグラフである。本実施形態によると、赤色光の波長帯域と橙色光の波長帯域が一部重なり、橙色光の波長帯域と黄緑色光の波長帯域が一部重なり、黄緑色光の波長帯域と緑色光の波長帯域が一部重なり、緑色光の波長帯域と青緑色光の波長帯域が一部重なり、青緑色の波長帯域と光青色光の波長帯域が一部重なっているのがわかる。
【００５１】
なお、素子列２ｇの複数の発光素子１ｇおよび素子列２ｈの複数の発光素子１ｈは、本実施形態において必須の構成ではないため、以下の説明においては、これら素子列２ｇ、２ｈについての説明を省略する。このような素子列２ｇ、２ｈは、例えば、６色の発光素子１ａ〜１ｆで発光する光を混色した照明光の色域を拡げたり演色性をより向上させたりするために設けられる。本実施形態では、発光素子１ｆの青色光で表現できない青色光を補うため、一例として、２列の青色光の素子列２ｇ、２ｈを追加した。
【００５２】
本実施形態によると、Ｘ方向に沿って互いに隣接して並んだ複数の素子列２ａ〜２ｆのうち、Ｘ方向の外側の素子列２ａ、２ｆの発光素子１ａ、１ｆが出射する赤色光の波長帯域および青色光の波長帯域は、Ｘ方向の内側の素子列２ｂ、２ｃの発光素子１ｂ、１ｃが出射する橙色光の波長帯域および黄緑色光の波長帯域より狭い。言い換えると、Ｘ方向の内側に配列された素子列２ｂ、２ｃの発光素子１ｂ、１ｃが出射する橙色光の波長帯域および黄緑色光の波長帯域は、他の有彩色光の波長帯域より広くなっている。
【００５３】
以下、本実施形態の効果について説明する。  
本実施形態の照明装置１００によると、各光源基板１０において、６色の原色（赤色、橙色、黄緑色、緑色、青緑色、青色）の光を出射する複数の発光素子１ａ〜１ｆを規則正しく配列したため、色域を広くすることができ、演色性をよくすることができる。このため、例えば、テレビカメラ撮影に適する照明光を作ることができる。
【００５４】
また、本実施形態では、白色光を出射する発光素子を用いずに６色の原色の光を混色させて白色光を作るため、表現可能な色域を広げた上で、白色の発光素子を実装するためのスペースを確保する必要がなく、装置構成を小型化することができる。また、白色の発光素子を用いないことで、原色の光を出射する際に、不要な色の光が混ざることがなく、所望する色の光を出射することができる。
【００５５】
見方を変えると、本実施形態の照明装置１００は、色域の広い演色性のよい照明光を出射する上で、必要最小限の色の光を出射する発光素子１ａ〜１ｆを用いている。このため、使用頻度の低い色の発光素子を実装する必要がなく、その分、使用頻度の高い発光素子だけを光源基板１０に実装することができ、照明装置１００全体として、発光効率を高めることができ、明るい照明光を出射することができる。
【００５６】
また、本実施形態の照明装置１００は、波長帯域が一部重なる素子列２ａ〜２ｆをＸ方向に並べて配列したため、照明装置１００として混色がよく、透光板１１０を透過した時点で良好に混色された照明光を出射することができる。このため、本実施形態の照明装置１００は、舞台照明やスタジオ照明に用いるフラッドライトに適している。
【００５７】
また、本実施形態によると、Ｘ方向に並んだ複数の素子列２ａ〜２ｆのうち、外側の素子列２ａ、２ｆの波長帯域が内側の素子列２ｂ、２ｃの波長帯域より狭くなっているため、Ｘ方向に隣接する素子列の波長帯域を重ね易い。仮に、波長帯域の比較的狭い素子列を内側に配列した場合、波長帯域の抜けを補うことが難しい。
【００５８】
また、本実施形態によると、Ｘ方向に隣接する素子列の複数の発光素子１を千鳥状に配置したため、隣接する素子列同士で光を補って混色をより良好にすることができる。
【００５９】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれるとともに、特許請求の範囲に記載された発明とその均等の範囲に含まれる。
【００６０】
例えば、上述した実施形態では、同じ色の原色の光を出射する複数の発光素子をＹ方向に並べた素子列をＸ方向に複数列隣接させたレイアウトについて説明したが、これに限らず、複数の素子列をＸ方向に傾斜させてレイアウトしても良い。つまり、各素子列の延出方向と隣接方向は必ずしも直交する必要はない。
【００６１】
また、上述した実施形態では、発光素子１ｆと異なる色温度の青色光を出射する発光素子１ｇ、１ｈの素子列２ｇ、２ｈを設けたが、青色光以外の光を出射する発光素子の素子列を追加してもよい。
【符号の説明】
【００６２】
１ａ〜１ｈ…発光素子、２ａ〜２ｈ…素子列、１０…光源基板、１００…照明装置、２００…制御装置、３００…照明システム。
【図１】
2019169449.tif 000003
【図２】
2019169449.tif 000004
【図３】
2019169449.tif 000005
【図４】
2019169449.tif 000006
【図５】
2019169449.tif 000007
【図６】
2019169449.tif 000008
【図７】
2019169449.tif 000009